(57)【特許請求の範囲】
【請求項１】
電話機能を有する携帯端末と、管理サーバと、中継装置とを備えた情報管理システムであって、
前記管理サーバは、
前記携帯端末で利用される電話帳、前記携帯端末の着信履歴、及び前記携帯端末の発信履歴を電話情報として記憶する記憶部を備え、
前記携帯端末は、
前記電話機能の利用時に、前記管理サーバから、前記電話情報を取得する、情報取得部と、
前記情報取得部によって取得された前記電話情報を記憶する、記憶部と、
着信、発信、及び前記電話帳の変更、のいずれかが行われたときに、前記携帯端末の前記記憶部に記憶されている前記電話情報を更新する、情報更新部と、
前記電話機能の利用が終了した場合に、更新された前記電話情報を前記管理サーバに送信する、情報通信部と、
更新された前記電話情報が、前記情報通信部によって、前記管理サーバに送信されると、前記携帯端末の前記記憶部に記憶されている前記電話情報を削除する、情報削除部と、
を備え、
前記中継装置は、前記携帯端末において通話ができない場合に、前記携帯端末における着信を検知し、そして、検知した前記着信に関する情報を前記管理サーバに送信し、これにより、前記管理サーバは、前記中継装置から送信された前記情報を用いて、前記管理サーバの前記記憶部に記憶されている前記電話情報を更新する、
ことを特徴とする情報管理システム。
【請求項２】
前記携帯端末が、前記管理サーバに認証を求める認証要求部を更に備え、
前記管理サーバが、前記携帯端末の前記認証要求部によって認証が求められた場合に、前記携帯端末に対する認証を行う認証部を、更に備え、
前記携帯端末において、前記認証要求部は、前記情報取得部による前記電話情報の取得の前に、前記管理サーバに認証を求め、
前記管理サーバにおいて、前記認証部は、前記携帯端末に対する認証が正常に行われたことを条件に、前記携帯端末の前記情報取得部による前記電話情報の取得を許可する、
請求項１に記載の情報管理システム。
【請求項３】
前記情報削除部は、更新された前記電話情報が、前記情報通信部によって、前記管理サーバに送信され、前記管理サーバにおいて前記電話情報が更新され、前記管理サーバから更新完了通知が前記携帯端末に送信されてくると、前記携帯端末の前記記憶部に記憶されている前記電話情報を削除する、請求項１または２に記載の情報管理システム。
【請求項４】
前記携帯端末において、前記情報通信部は、前記携帯端末における通話が終了した場合、または、最後に、着信、発信、及び前記電話帳の変更のいずれかが行われてから設定時間が経過した場合に、前記電話機能の利用が終了したと判断する、請求項１〜３のいずれかに記載の情報管理システム。
【請求項５】
電話機能を有する携帯端末であって、
当該携帯端末で利用される電話帳、当該携帯端末の着信履歴、当該携帯端末において通話ができない場合に着信を検知する中継装置から送信されてきた着信に関する情報、及び当該携帯端末の発信履歴を電話情報として記憶している外部の管理サーバから、前記電話機能の利用時に、前記電話情報を取得する、情報取得部と、
前記情報取得部によって取得された前記電話情報を記憶する、記憶部と、
着信、発信、及び前記電話帳の変更、のいずれかが行われたときに、前記記憶部に記憶されている前記電話情報を更新する、情報更新部と、
前記電話機能の利用が終了した場合に、更新された前記電話情報を前記管理サーバに送信する、情報通信部と、
更新された前記電話情報が、前記情報通信部によって、前記管理サーバに送信されると、前記記憶部に記憶されている前記電話情報を削除する、情報削除部と、
を備えていることを特徴とする携帯端末。
【請求項６】
前記情報削除部は、更新された前記電話情報が、前記情報通信部によって、前記管理サーバに送信され、前記管理サーバにおいて前記電話情報が更新され、前記管理サーバから更新完了通知が当該携帯端末に送信されてくると、前記記憶部に記憶されている前記電話情報を削除する、請求項５に記載の携帯端末。
【請求項７】
電話機能を有する携帯端末と、管理サーバと、中継装置とを用いた情報管理方法であって、
（ａ）前記管理サーバによって、前記携帯端末で利用される電話帳、前記携帯端末の着信履歴、及び前記携帯端末の発信履歴を電話情報として記憶する、ステップと、
（ｂ）前記携帯端末によって、前記電話機能の利用時に、前記管理サーバから、前記電話情報を取得する、ステップと、
（ｃ）前記（ｂ）のステップで取得された前記電話情報を前記携帯端末の記憶装置に記憶する、ステップと、
（ｄ）前記携帯端末において、着信、発信、及び前記電話帳の変更、のいずれかが行われたときに、前記記憶装置に記憶されている前記電話情報を更新する、ステップと、
（ｅ）前記電話機能の利用が終了した場合に、前記携帯端末によって、更新された前記電話情報を前記管理サーバに送信する、ステップと、
（ｆ）前記（ｅ）のステップが実行されると、前記記憶装置に記憶されている前記電話情報を削除する、ステップと、
（ｇ）前記携帯端末において通話ができない場合に、前記中継装置によって、前記携帯端末における着信を検知し、そして、検知した前記着信に関する情報を前記管理サーバに送信する、ステップと、
（ｈ）前記（ｇ）のステップが実行された場合に、前記管理サーバによって、前記中継装置から送信された前記情報を用いて、前記管理サーバが記憶している前記電話情報を更新する、ステップと、
を有することを特徴とする情報管理方法。
【請求項８】
電話機能を有する携帯端末の情報管理を、前記携帯端末に搭載されたコンピュータによって行うためのプログラムであって、
前記コンピュータに、
（Ａ）当該携帯端末で利用される電話帳、当該携帯端末の着信履歴、当該携帯端末において通話ができない場合に着信を検知する中継装置から送信されてきた着信に関する情報、及び当該携帯端末の発信履歴を電話情報として記憶している外部の管理サーバから、前記電話機能の利用時に、前記電話情報を取得する、ステップと、
（Ｂ）前記（Ａ）のステップで取得された前記電話情報を、前記携帯端末の記憶装置に記憶する、ステップと、
（Ｃ）前記携帯端末において、着信、発信、及び前記電話帳の変更、のいずれかが行われたときに、前記記憶装置に記憶されている前記電話情報を更新する、ステップと、
（Ｄ）前記電話機能の利用が終了した場合に、前記（Ｃ）のステップで更新された前記電話情報を前記管理サーバに送信する、ステップと、
（Ｅ）前記（Ｄ）のステップが実行されると、前記記憶装置に記憶されている前記電話情報を削除する、ステップと、
を実行させる、プログラム。
【請求項９】
電話機能を有する携帯端末を管理する管理サーバと、中継装置とを備えた情報管理システムであって、
前記管理サーバは、
前記携帯端末で利用される電話帳、前記携帯端末の着信履歴、及び前記携帯端末の発信履歴を電話情報として記憶する記憶部と、
前記携帯端末が前記電話機能を利用する場合に、前記携帯端末に、前記記憶部に記憶されている電話情報を送信し、そして、前記携帯端末において電話情報が更新され、前記電話機能の利用が終了した場合に、更新された電話情報を用いて、前記記憶部に記憶されている電話情報を更新する、情報処理部と、を備え、
前記中継装置は、前記携帯端末において通話ができない場合に、前記携帯端末における着信を検知し、そして、検知した前記着信に関する情報を前記管理サーバに送信する、着信検知部を備え、
前記管理サーバにおいて、前記情報処理部は、前記中継装置から前記情報が送信されてくると、送信されてきた前記情報を用いて、前記記憶部に記憶されている前記電話情報を更新する、
ことを特徴とする情報管理システム。
【発明の詳細な説明】
【技術分野】
【０００１】
本発明は、携帯端末における電話帳情報、発信履歴、着信履歴といった情報を管理するための、情報管理システム、これに用いられる携帯端末、更には、情報管理方法、及びプログラムに関する。
【背景技術】
【０００２】
一般に、携帯電話及びスマートフォンに代表される携帯型の情報端末は、電話帳、発信履歴、着信履歴といった各種情報を記憶している。これらの情報は、利用者にとって、更には情報端末が企業活動に用いられる場合は、その企業にとって、極めて重要な情報である。このため、情報端末の紛失又は故障などによって情報が喪失されてしまうと、利用者、更には企業にとって大きな痛手となる。
【０００３】
このような問題を解決するべく、従来から、電話帳管理システムが提案されている（例えば、特許文献１及び２参照）。具体的には、特許文献１及び特許文献２に開示されている電話帳管理システムは、電話帳データベースを備えた管理サーバと、携帯電話機とで構成されている。管理サーバは、携帯電話毎に、電話帳データベースに電話帳を記憶する。
【０００４】
また、特許文献１及び特許文献２に開示されている電話帳管理システムでは、管理サーバは、携帯電話からの認証要求に応じて、認証を実施し、認証が正常に行われた場合は、携帯電話に対して電話帳を送信する。そして、携帯電話では、携帯電話が有する電話帳と送信された電話帳との同期が実施され、携帯電話が有する電話帳は、最新の状態とされる。
【０００５】
更に、特許文献２に開示されている電話帳管理システムでは、携帯電話において認証サーバからの電話帳の取得が行われて初めて携帯電話機能の使用が可能になる機能と、携帯電話番号情報及び電話帳が特定の場合に削除される機能も付加されている。また、特許文献２において、特定の場合としては、所定期間が経過した場合、システム管理者が特定ユーザの認証を消去すべきと判断した場合、電源オフ操作がなされた場合が開示されている。
【先行技術文献】
【特許文献】
【０００６】
【特許文献１】特開２００７−１２３９５９号公報
【特許文献２】特開２００７−９６７４６号公報
【発明の概要】
【発明が解決しようとする課題】
【０００７】
ところで、特許文献１に開示された電話帳管理システムでは、電話帳は、電話帳管理サーバとの認証が正常に行われている場合は、携帯電話に存在し続けることになる。従って、携帯電話が第三者の手に渡った場合は、情報が漏洩してしまう可能性が高いと考えられる。また、特許文献２に開示された電話帳管理システムでは、電話帳は削除されるが、特定の場合に限られるため、情報が漏洩する可能正は依然高いと考えられる。
【０００８】
更に、特許文献１及び特許文献２に開示された電話帳管理システムでは、着信履歴及び発信履歴は、重要な情報であるにも拘わらず、管理サーバによって管理されていない。このため、着信履歴及び発信履歴は、情報端末の紛失又は故障などによって喪失される確率が極めて高くなっている。また、着信履歴及び発信履歴も、電話帳と同様に漏洩してしまう可能正がある。
【０００９】
加えて、特許文献１及び特許文献２に開示された電話帳管理システムでは、システムの管理者または利用者によって、サーバ登録という処理が行われないと、電話帳及びその更新情報は管理サーバに登録されない。このため、利用者にとって操作性の低いものとなっている。
【００１０】
本発明の目的の一例は、上記問題を解消し、電話帳、着信履歴、及び発信履歴といった電話情報の喪失及び漏洩を抑制し得る、情報管理システム、これに用いられる携帯端末、情報管理方法、及びプログラムを提供することにある。
【課題を解決するための手段】
【００１１】
上記目的を達成するため、本発明の一側面における情報管理システムは、電話機能を有する携帯端末と管理サーバとを備えた情報管理システムであって、
前記管理サーバは、
前記携帯端末で利用される電話帳、前記携帯端末の着信履歴、及び前記携帯端末の発信履歴を電話情報として記憶する記憶部を備え、
前記携帯端末は、
前記電話機能の利用時に、前記管理サーバから、前記電話情報を取得する、情報取得部と、
前記情報取得部によって取得された前記電話情報を記憶する、記憶部と、
着信、発信、及び前記電話帳の変更、のいずれかが行われたときに、前記携帯端末の前記記憶部に記憶されている前記電話情報を更新する、情報更新部と、
前記電話機能の利用が終了した場合に、更新された前記電話情報を前記管理サーバに送信する、情報通信部と、
更新された前記電話情報が、前記情報通信部によって、前記管理サーバに送信されると、前記携帯端末の前記記憶部に記憶されている前記電話情報を削除する、情報削除部と、
を備えている、ことを特徴とする。
【００１２】
また、上記目的を達成するため、本発明の一側面における携帯端末は、電話機能を有する携帯端末であって、
当該携帯端末で利用される電話帳、当該携帯端末の着信履歴、及び当該携帯端末の発信履歴を電話情報として記憶している外部の管理サーバから、前記電話機能の利用時に、前記電話情報を取得する、情報取得部と、
前記情報取得部によって取得された前記電話情報を記憶する、記憶部と、
着信、発信、及び前記電話帳の変更、のいずれかが行われたときに、前記携帯端末の前記記憶部に記憶されている前記電話情報を更新する、情報更新部と、
前記電話機能の利用が終了した場合に、更新された前記電話情報を前記管理サーバに送信する、情報通信部と、
更新された前記電話情報が、前記情報通信部によって、前記管理サーバに送信されると、前記携帯端末の前記記憶部に記憶されている前記電話情報を削除する、情報削除部と、
を備えていることを特徴とする。
【００１３】
更に、上記目的を達成するため、本発明の一側面における情報管理方法は、電話機能を有する携帯端末と管理サーバとを用いた情報管理方法であって、
（ａ）前記管理サーバによって、前記携帯端末で利用される電話帳、前記携帯端末の着信履歴、及び前記携帯端末の発信履歴を電話情報として記憶する、ステップと、
（ｂ）前記携帯端末によって、前記電話機能の利用時に、前記管理サーバから、前記電話情報を取得する、ステップと、
（ｃ）前記（ｂ）のステップで取得された前記電話情報を前記携帯端末の記憶装置に記憶する、ステップと、
（ｄ）前記携帯端末において、着信、発信、及び前記電話帳の変更、のいずれかが行われたときに、前記記憶装置に記憶されている前記電話情報を更新する、ステップと、
（ｅ）前記電話機能の利用が終了した場合に、前記携帯端末によって、更新された前記電話情報を前記管理サーバに送信する、ステップと、
（ｆ）前記（ｅ）のステップが実行されると、前記記憶装置に記憶されている前記電話情報を削除する、ステップと、
を有することを特徴とする。
【００１４】
また、上記目的を達成するため、本発明の一側面におけるプログラムは、電話機能を有する携帯端末の情報管理を、前記携帯端末に搭載されたコンピュータによって行うためのプログラムであって、
前記コンピュータに、
（Ａ）当該携帯端末で利用される電話帳、当該携帯端末の着信履歴、及び当該携帯端末の発信履歴を電話情報として記憶している外部の管理サーバから、前記電話機能の利用時に、前記電話情報を取得する、ステップと、
（Ｂ）前記（Ａ）のステップで取得された前記電話情報を、前記携帯端末の記憶装置に記憶する、ステップと、
（Ｃ）前記携帯端末において、着信、発信、及び前記電話帳の変更、のいずれかが行われたときに、前記記憶装置に記憶されている前記電話情報を更新する、ステップと、
（Ｄ）前記電話機能の利用が終了した場合に、前記（Ｃ）のステップで更新された前記電話情報を前記管理サーバに送信する、ステップと、
（Ｅ）前記（Ｄ）のステップが実行されると、前記記憶装置に記憶されている前記電話情報を削除する、ステップと、
を実行させることを特徴とする。
【発明の効果】
【００１５】
以上の特徴により、本発明によれば、電話帳、着信履歴、及び発信履歴といった電話情報の喪失及び漏洩を抑制することができる。
【図面の簡単な説明】
【００１６】
【図１】図１は、本発明の実施の形態における情報管理システムの構成を示すブロック図である。
【図２】図２は、携帯端末で行われる初期設定処理を示すフロー図である。
【図３】図３は、管理サーバで行われる初期設定処理を示すフロー図である。
【図４】図４は、携帯端末で行われる電話情報の取得処理を示すフロー図である。
【図５】図５は、管理サーバで行われる電話情報の取得処理を示すフロー図である。
【図６】図６は、携帯端末で行われる電話情報の更新処理を示すフロー図である。
【図７】図７は、携帯端末で行われる電話情報の送信・削除処理を示すフロー図である。
【図８】図８は、管理サーバで行われる電話情報の送信・削除処理を示すフロー図である。
【図９】図９は、本発明の実施の形態における情報管理システムの他の例の構成を示すブロック図である。
【発明を実施するための形態】
【００１７】
（実施の形態）
以下、本発明の実施の形態における、情報管理システム、携帯端末、情報管理方法、及びプログラムについて、図１〜図９を参照しながら説明する。最初に、本実施の形態における情報管理システム及び携帯端末の構成について図１を用いて説明する。図１は、本発明の実施の形態における情報管理システムの構成を示すブロック図である。
【００１８】
図１に示すように、本実施の形態における情報管理システム１０は、電話機能を有する携帯端末１００と、管理サーバ２００とを備えている。図１の例では、携帯端末１００は、一つのみが図示されているが、実際は、情報管理システム１０は、複数個の携帯端末１００によって構成されている。また、携帯端末１００は、電話網及びインターネットを含むネットワーク３００を介して、管理サーバ２００に接続されている。
【００１９】
管理サーバ２００は、記憶部２１０を備えている。記憶部２１０は、携帯端末１００で利用される電話帳２１２、携帯端末１００の着信履歴２１３、及び携帯端末１００の発信履歴２１４を電話情報として記憶及び管理している。
【００２０】
電話情報のうち、電話帳２１３は、携帯端末１００の利用者によって登録された、相手先の名称、電話番号、メールアドレス、住所などの情報の集合である。また、着信履歴２１４は、携帯端末１００で受けた着信の履歴であり、発信履歴２１４は、利用者が携帯端末１００によって行った発信の履歴である。本実施の形態では、電話帳２１３、着信履歴２１４、及び発信履歴２１４は、携帯端末１００で生成された後、管理サーバ２００へと送信され、管理サーバ２００によって管理される。その際、これらの情報は、後述するように、携帯端末１００からは削除される。
【００２１】
また、携帯端末１００は、主に、情報取得部１２５と、記憶部１１０と、情報更新部１２６と、情報削除部１２７と、情報通信部１２９とを備えている。このうち、情報取得部１２５は、電話機能の利用時に、管理サーバ２００から、電話情報（電話帳２１２、着信履歴２１３、発信履歴２１４）を取得する。
【００２２】
記憶部１１０は、情報取得部１２５によって取得された電話情報を記憶する。図１において、電話帳１１３、着信履歴１１４、及び発信履歴１１５は、情報取得部１２５によって取得され、その後、記憶部１１０に記憶された電話情報を示している。
【００２３】
情報更新部１２６は、携帯端末１００において、着信、発信、及び電話帳の変更、のいずれかが行われたときに、記憶部１１０に記憶されている電話情報（電話帳１１３、着信履歴１１４、発信履歴１１５）を更新する。情報通信部１２９は、電話機能の利用が終了した場合に、更新された電話情報を管理サーバ２００に送信する。また、情報削除部１２７は、更新された電話情報が、情報通信部１２９によって、管理サーバ２００に送信されると、記憶部１１０に記憶されている電話情報を削除する。
【００２４】
このように、本実施の形態では、携帯端末１００には、電話機能が利用されていないときは、電話帳１１３、着信履歴１１４、発信履歴１１５といった電話情報が一切残らないようになっている。従って、本実施の形態によれば、電話帳１１３、着信履歴１１４、及び発信履歴１１５といった電話情報が喪失されることはなく、更に、携帯端末１００が第三者の手に渡っても、電話情報が漏洩することはない。
【００２５】
ここで、本実施の形態における情報管理システム１０、これを構成する携帯端末１００及び管理サーバ２００について、更に具体的に説明する。本実施の形態では、携帯端末１００は、携帯電話、またはスマートフォンである。
【００２６】
本実施の形態では、記憶部１１０は、電話帳１１３、着信履歴１１４、及び発信履歴に加え、端末情報１１１及び認証情報１１２も記憶する。但し、記憶部１１０は、これらの情報を、電話機能が利用されている間だけ一時的に記憶する。また、記憶部１１０は、携帯端末１００に搭載されたメモリによって実現されている。メモリは、携帯端末１００に搭載されたコンピュータを構成するＲＡＭ（Random Access Memory）であっても良いし、ＳＤ（Secure Digital）等の汎用的な半導体記憶デバイスであっても良い。
【００２７】
端末情報１１１は、携帯端末１１０を識別するための情報である。端末情報１１１の具体例としては、個体識別番号が挙げられる。認証情報１１２は、後述する認証要求部１２１が管理サーバ２００に認証を求める際に用いられる情報である。認証情報１１２の具体例としては、ユーザＩＤ及びパスワード等が挙げられる。端末情報１１１及び認証情報１１２は、例えば、電話機能の利用時に、利用者によるキー操作によって入力される。この場合、情報更新部１２６は、入力された情報を記憶部１１０に記憶させ、これらを登録する。
【００２８】
携帯端末１００は、上述した構成に加え、更に、認証要求部１２１、暗号・復号化部１２２、発着信情報取得部１２３、イベント検知部１２４、及び端末監視部１２８を備えている。また、携帯端末１００を構成する各部は、後述するように、携帯端末１００に搭載されたコンピュータ（図示せず）をプログラム制御することによって実現することができる。
【００２９】
認証要求部１２１は、管理サーバ２００に対して認証を求める。本実施の形態では、認証要求部１２１は、主に、情報取得部１２５による電話情報の取得の前に、管理サーバ２００に認証を求める。このとき、認証要求部１２１は、上述した端末情報１１１と認証情報１１２とを、情報通信部１２９を介して、後述する管理サーバ２００に送信する。
【００３０】
そして、後述する管理サーバ２００の認証部２２１が、認証は正常であると判定すると、携帯端末１００の情報取得部１２５は、管理サーバ２００にアクセスすることが可能となる。そして、情報取得部１２５は、管理サーバ２００から電話情報を取得することができるようになる。
【００３１】
暗号・復号化部１２２は、各種情報の暗号化又は復号化を行う。例えば、暗号・復号化部１２２は、情報通信部１２９が、記憶部１１０に記憶されている電話情報（電話帳１１３、着信履歴１１４、発信履歴１１５）を管理サーバ２００に送信する際に、送信対象となる電話情報を暗号化する。また、暗号・復号化部１２２は、情報通信部１２９が、認証要求部１２１の指示により、記憶部１１０に記憶されている端末情報１１１及び認証情報１１２を管理サーバ２００に送信する際は、端末情報１１１及び認証情報１１２を暗号化する。一方、暗号・復号化部１２２は、情報取得部１２５が取得した電話情報が暗号化されている場合は、取得した電話情報を復号化する。
【００３２】
端末監視部１２８は、携帯端末１００の状態を監視し、携帯端末１００における発信動作、着信動作、電話帳１１３の変更（新規登録、修正、削除）が発生した場合は、これらを検知する。また、端末監視部１２８は、検知の結果を、イベント検知部１２４に通知する。
【００３３】
イベント検知部１２４は、端末監視部１２８からの検知結果に基づき、携帯端末１００で発生するイベントの発生を監視し、イベントの発生を検知すると、対応する各部に、イベントの検知を通知する。例えば、記憶部１１０に、端末情報１１１及び認証情報１１２が登録された場合、及び電話情報が更新された場合、イベント検知部１２４は、これらのイベントの発生を認証要求部１２１に通知する。また、管理サーバ２００からの電話情報が受信されると、イベント検知部１２４は、情報取得部１２５に、イベントの発生を通知する。
【００３４】
また、携帯端末１００において発信又は着信が行われると、イベント検知部１２４は、端末監視部１２８を介して、発信又は着信を検知し、イベントの発生を発着信情報取得部１２３に通知する。発着信情報取得部１２３は、イベント検知部１２４からの通知を受けると、発信に関する情報（発信先の名称、電話番号、発信時刻等）又は着信に関する情報（着信元の名称、電話番号、着信時刻等）を取得し、取得した情報を、情報更新部１２６に出力する。
【００３５】
更に、本実施の形態において、管理サーバ２００の記憶部２１０は、上述した電話帳２１２、着信履歴２１３、及び発信履歴２１４に加えて、端末認証情報２１１を記憶及び管理している。端末認証情報２１１は、携帯端末１００毎に設定されている端末情報１１１及び認証情報１１２で構成されており、後述する認証部２２１で使用される。また、端末認証情報２１１は、初期設定時に記憶及び登録される。
【００３６】
また、本実施の形態では、管理サーバ２００は、記憶部２１０に加えて、認証部２２１、暗号・復号化部２２２、情報処理部２２３、及び情報通信部２２４を備えている。更に、管理サーバ２００を構成する各部は、サーバコンピュータをプログラム制御することによって実現されている。
【００３７】
認証部２２１は、携帯端末１００の認証要求部１２１によって認証が求められた場合に、携帯端末１００に対する認証を実行する。具体的には、認証部２２１は、携帯端末１００が送信した端末情報１１１と認証情報１１２とを取得すると、これらと、端末認証情報２１２とが一致するかどうかを判定する。認証部２２１は、これらが一致する場合は、認証は正常であると判定し、これらが一致しない場合は、認証は正常でないと判定する。
【００３８】
また、情報通信部２２４は、携帯端末１００からの要求に基づき、携帯端末１００への情報の送信、及び携帯端末１００からの情報の受信を実行する。暗号・復号化部２２２は、携帯端末１００に送信する情報の暗号化、携帯端末１００から受信した情報の復号化を実行する。例えば、携帯端末１００が送信した端末情報１１１及び認証情報１１２は、暗号化されているため、暗号・復号化部２２は、これらを復号化する。
【００３９】
情報処理部２２３は、端末認証情報２１１、電話帳２１２、着信履歴２１３、発信履歴２１４の登録、更新、抽出といった処理を実行する。例えば、新規に、携帯端末１００から、電話帳２１２、着信履歴２１３、及び発信履歴２１４が送信されてきたときは、情報処理部２２３は、これらを記憶部２１０に記憶させ、登録する。
【００４０】
また、既に登録されている電話帳２１２、着信履歴２１３、及び発信履歴２１４を更新するための情報が、携帯端末１００から送信されてきたときは、情報処理部２２３は、これらを更新する。更に、携帯端末１００の情報取得部１２５から、電話帳２１２、着信履歴２１３、及び発信履歴２１４の取得が要求されたときは、情報処理部２２３は、これらを記憶部２１０から抽出する。
【００４１】
次に、本発明の実施の形態における情報管理システム１０（携帯端末１００及び管理サーバ２００）で行われる処理について、図２〜図８を用いて説明する。また、以下の説明においては、適宜図１を参酌する。更に、本実施の形態では、情報管理システム１０を動作させることによって、情報管理方法が実施される。よって、本実施の形態における情報管理方法の説明は、以下の報管理システム１０の動作説明に代える。
【００４２】
［初期設定処理］
まず、携帯端末１００及び管理サーバ２００における初期設定処理について図２及び図３を用いて説明する。図２は、携帯端末で行われる初期設定処理を示すフロー図である。図３は、管理サーバで行われる初期設定処理を示すフロー図である。
【００４３】
図２に示すように、先ず、利用者によって、端末情報１１１及び認証情報１１２が操作キーを介して入力されると、情報更新部１２６は、入力された端末情報１１１及び認証情報１１２を受け付ける（ステップＡ１）。
【００４４】
更に、情報更新部１２６は、受付けた端末情報１１１及び認証情報１１２を記憶部１１０に記憶させ、これらを登録する（ステップＡ２）。そして、ステップＡ２が実行されると、イベント検知部１２４は、端末情報１１１及び認証情報１１２の登録を検知し、このことを認証要求部１２１に通知する。
【００４５】
次に、認証要求部１２３は、記憶部１１０に記憶されている端末情報１１１及び認証情報１１３を取得し、これらを暗号・復号化部１２２に送り、これらを暗号化させる（ステップＡ３）。そして、認証要求部１２３は、情報通信部１２９に、暗号化された端末情報１１１及び認証情報１１３を管理サーバ２００へと送信させる（ステップＡ４）。以上、ステップＡ１〜Ａ４の実行により、携帯端末１００における初期設定動作は終了する。
【００４６】
一方、図３に示すように、ステップＡ４が実行されると、管理サーバ２００において、情報通信部２２４が、暗号化された端末情報１１１及び認証情報１１３を受信する（ステップＡ１１）。次に、認証部２２１は、情報通信部２２４に、受信した端末情報１１１及び認証情報１１２を、暗号・復号化部２２２に送らせ、暗号・復号化部２２２に、これらを復号化させる（ステップＡ１２）。
【００４７】
次に、認証部２２１が、復号化された端末情報１１１及び認証情報１１３を、情報処理部２２３に送ると、情報処理部２２３は、これらを記憶部２１０に記憶させ、更に、これらを端末認証情報２１１として登録する（ステップＡ１３）。以上、ステップＡ１１〜Ａ１３の実行により、管理サーバにおける初期設定動作は終了する。
【００４８】
［電話情報の取得処理］
次に、携帯端末１００が管理サーバ２００から電話情報（電話帳２１２、着信履歴２１３、発信履歴２１４）を取得する際の処理（電話情報の取得処理）について図４及び図５を用いて説明する。図４は、携帯端末で行われる電話情報の取得処理を示すフロー図である。図５は、管理サーバで行われる電話情報の取得処理を示すフロー図である。
【００４９】
図４に示すように、まず、利用者が携帯端末において電話機能の利用を開始すると、情報取得部１２５は、管理サーバ２００から電話情報を取得するため、イベント検知部１２４を介して、認証要求部１２１を起動する。そして、情報取得部１２５は、認証要求部１２１に、記憶部１１０に記憶されている端末情報１１１及び認証情報１１２を取得させる（ステップＢ１）。
【００５０】
次に、認証要求部１２１は、取得した端末情報１１１及び認証情報１１２を暗号・復号化部１２２に送り、これらを暗号化させる（ステップＢ２）。更に、認証要求部１２１は、情報通信部１２９に、暗号化された端末情報１１１及び認証情報１１３を管理サーバ２００へと送信させる（ステップＢ３）。また、認証要求部１２１は、情報通信部１２９に、管理サーバ２００に対する電話情報の送信要求も行わせる（ステップＢ４）。その後、後述するように、図６に示すステップＢ１１〜Ｂ１７が実行される。
【００５１】
次に、情報通信部１２９は、管理サーバ２００においてステップＢ１１〜Ｂ１７が実行された後、認証結果を示す情報と電話情報とを受信し（ステップＢ５）、これらを暗号・復号化部１２２に送り、復号化処理を行わせる（ステップＢ６）。
【００５２】
次に、ステップＢ６が実行されると、イベント検知部１２４を介して情報取得部１６が起動するので、認証要求部１２１は、復号化された認証結果及び電話情報を、情報取得部１２５に送る。そして、情報取得部１２５は、復号化された電話情報を記憶部１１０に記憶させる（ステップＢ７）。ステップＢ７の実行により、携帯端末１００、ひいては利用者に、電話帳１１３、着信履歴１１４、発信履歴１１５といった電話情報が返却された状態となる。
【００５３】
以上、ステップＢ１〜Ｂ７の実行により、携帯端末１００における電話情報取得処理は、終了する。なお、図４には図示されていないが、図５に示すステップＢ１１〜Ｂ１６において、管理サーバ２００における認証が正常でない場合は、電話情報は送信されてこない。このため、この場合は、ステップＢ５の実行後に、携帯端末１００における電話情報取得処理は終了する。
【００５４】
また、記憶部１１０が、電話帳１１３、着信履歴１１４、及び発信履歴１１５を記憶している間に、携帯端末１００の内部で電話情報が要求された場合は、管理サーバ２００へのアクセスは行われず、携帯端末１００上の電話情報が利用される。
【００５５】
また、図５に示すように、上述のステップＢ４が実行されると、管理サーバ２００において、情報通信部２２４が、暗号化された端末情報１１１、認証情報１１３、更に、電話情報の送信要求を受信する（ステップＢ１１）。
【００５６】
次に、認証部２２１は、情報通信部２２４に、端末情報１１１、認証情報１１２、及び電話情報の送信要求を、暗号・復号化部２２２へと送らせ、暗号・復号化部２２２に、これらを復号化させる（ステップＢ１２）。
【００５７】
次に、認証部２２１は、記憶部２１０に記憶されている端末認証情報２１１を抽出し、これと、復号化された端末情報１１１及び認証情報１１２とを用いて認証を行う（ステップＢ１３）。具体的には、認証部２２１は、端末認証情報２１１と、復号化された端末情報１１１及び認証情報１１２とを対比して、両者が一致するかどうかを判定する。
【００５８】
ステップＢ１３の認証の結果が正常である場合は、情報処理部２２３は、記憶部２１０から、電話帳２１２、着信履歴２１３、発信履歴２１４といった電話情報を抽出する（ステップＢ１５）。また、情報処理部２２３は、抽出した電話情報及び認証結果を示す情報を暗号・復号化部２２２に送り、これらを暗号化させ（ステップＢ１６）、更に、情報通信部２２４に、暗号化された電話情報及び認証結果を示す情報を携帯端末１００へと送信させる（ステップＢ１７）。
【００５９】
一方、ステップＢ１３の認証の結果が正常でない場合は、情報処理部２２３は、正常でない旨の認証結果を示す情報を、暗号・復号化部２２２によって暗号化する。更に、情報処理部２２３は、情報通信部２２４に、正常でない旨の認証結果を示す情報を携帯端末１００へと送信させる（ステップＢ１８）。以上、ステップＢ１１〜Ｂ１８の実行により、管理サーバ２００における電話情報の取得処理は、終了する。
【００６０】
［電話情報の更新処理］
次に、携帯端末１００における電話情報の更新処理について図６を用いて説明する。図６は、携帯端末で行われる電話情報の更新処理を示すフロー図である。
【００６１】
図６に示すように、先ず、イベント検知部１２４は、図５に示した電話情報取得処理の終了後、端末監視部１２８を介して、携帯端末１００におけるイベントの発生を検知する（ステップＣ１）。次に、イベント検知部１２４は、発生したイベントが、発信又は着信といった通話であるかどうかを判定する（ステップＣ２）。
【００６２】
ステップＣ２の判定の結果、発生したイベントが通話である場合は、イベント検知部１２４は、発着信情報取得部１２３に、発信に関する情報又は着信に関する情報を取得させる（ステップＣ３）。また、ステップＣ３では、発着信情報取得部１２３は、取得した情報を、情報更新部１２６に出力する。
【００６３】
次に、情報更新部１２６は、発着信情報取得部１２３によって出力された情報に基づいて、記憶部１１０に記憶されている着信履歴１１４又は発信履歴１１５を更新する（ステップＣ４）。
【００６４】
一方、ステップＣ２の判定の結果、発生したイベントが通知でない場合、即ち、利用者による電話帳の変更である場合は、イベント検知部１２４は、電話帳に加えられた変更内容を特定し、変更内容を特定する情報を情報更新部１２６に出力する（ステップＣ５）。
【００６５】
次に、情報更新部１２６は、イベント検知部１２４によって出力された情報に基づいて、記憶部１１０に記憶されている電話帳１１３を更新する（ステップＣ６）。
【００６６】
以上、ステップＣ１〜Ｃ６の実行により、電話情報の更新処理は終了する。但し、本実施の形態では、ステップＣ１〜Ｃ６は、電話機能の利用が終了しない限り、繰り返し実行されても良い。
【００６７】
［電話情報の送信・削除処理］
次に、携帯端末１００が、更新後の電話情報を管理サーバ２００へと送信し、その後に、電話情報を携帯端末１００上から削除する際の処理（電話情報の送信・削除処理）について図７及び図８を用いて説明する。図７は、携帯端末で行われる電話情報の送信・削除処理を示すフロー図である。図８は、管理サーバで行われる電話情報の送信・削除処理を示すフロー図である。
【００６８】
図７に示すように、まず、利用者が携帯端末において電話機能の利用を終了すると、イベント検知部１２４が、端末監視部１２８を介して、電話機能の利用の終了を検知する（ステップＤ１）。
【００６９】
ここで、「電話機能の利用が終了された場合」としては、例えば、利用者が通話を終了して回線を切断した場合、最後に、着信、発信、及び電話帳１１３の変更のうちいずれかが行われてから、設定時間が経過した場合が挙げられる。また、携帯端末に、電話機能をオフにするためのボタンが設けられているのであれば、ボタンが押された場合も挙げられる。イベント検知部１２４は、これらの場合を処理の起点として検出する。
【００７０】
次に、イベント検知部１２４は、認証要求部１２１を起動する。そして、情報取得部１２５は、認証要求部１２１に、記憶部１１０に記憶されている端末情報１１１及び認証情報１２１を取得させる（ステップＤ２）。
【００７１】
次に、認証要求部１２１は、取得した端末情報１１１及び認証情報１１２を暗号・復号化部１２２に送り、これらを暗号化させる（ステップＤ３）。更に、認証要求部１２１は、情報通信部１２９に、暗号化された端末情報１１１及び認証情報１１２を管理サーバ２００へと送信させる（ステップＤ４）。その後、後述するように、図８に示すステップＤ１１〜Ｄ１４が実行される。
【００７２】
次に、情報通信部１２９は、管理サーバ２００においてステップＤ１１〜Ｄ１４が実行された後、認証結果を示す情報を受信する（ステップＤ５）。この場合、情報通信部１２９は、受信した情報を暗号・復号化部１２２に送り、復号化処理を行わせる。
【００７３】
そして、認証要求部１２１は、認証結果に基づき、認証が正常に行われたかどうかを判定する（ステップＤ６）。ステップＤ６の判定の結果、認証が正常でない場合は、認証要求部１２１は、携帯端末１００における処理を終了する。一方、ステップＤ６の判定の結果、認証が正常である場合は、認証要求部１２１は、イベント検知部１２４を介して、ステップＤ７を実行させる。
【００７４】
ステップＤ７では、イベント検知部１２４は、情報更新部１２５に、記憶部１１０に記憶されている電話情報を取得させる。また、このとき取得される電話情報は、更新されている。更に、認証要求部１２１は、暗号・復号化部１２２によって、取得された電話情報を暗号化した後、情報通信部１２９に、暗号化された電話情報を管理サーバ２００へと送信させる。その後、後述するように、図８に示すステップＤ１５〜Ｄ１７が実行され、管理サーバ２００は、更新完了通知を、携帯端末１００に送信する。
【００７５】
次に、情報通信部１２９が、管理サーバ２００からの更新完了通知を受信し（ステップＤ８）、それを契機にして、情報削除部１２７が、記憶部１１０に記憶されている電話情報を削除する（ステップＤ９）。以上、ステップＤ１〜Ｄ９の実行により、携帯端末１００における電話情報の送信・削除処理は、終了する。
【００７６】
また、図８に示すように、携帯端末１００において上述のステップＤ４が実行されると、管理サーバ２００において、情報通信部２２４が、暗号化された端末情報１１１及び認証情報１１３を受信する（ステップＤ１１）。
【００７７】
次に、認証部２２１は、情報通信部２２４に、端末情報１１１及び認証情報１１２を、暗号・復号化部２２２へと送らせ、暗号・復号化部２２２に、これらを復号化させる（ステップＤ１２）。
【００７８】
次に、認証部２２１は、記憶部２１０に記憶されている端末認証情報２１１を抽出し、これと、復号化された端末情報１１１及び認証情報１１２とを用いて認証を行う（ステップＤ１３）。具体的には、認証部２２１は、端末認証情報２１１と、復号化された端末情報１１１及び認証情報１１２とを対比して、両者が一致するかどうかを判定する。
【００７９】
ステップＤ１３の認証の結果が正常でない場合は、情報処理部２２３は、正常でない旨の認証結果を示す情報を、暗号・復号化部２２２によって暗号化する。更に、情報処理部２２３は、情報通信部２２４に、正常でない旨の認証結果を示す情報を携帯端末１００へと送信させる（ステップＤ１８）。
【００８０】
一方、ステップＤ１３の認証の結果が正常である場合は、情報処理部２２３は、正常である旨の認証結果を示す情報を暗号・復号化部２２２によって暗号化する。更に、情報処理部２２３は、情報通信部２２４に、正常である旨の認証結果を示す情報を携帯端末１００へと送信させる（ステップＤ１４）。
【００８１】
次に、携帯端末１００において上述のステップＤ７が実行されると、管理サーバ２００において、情報通信部２２４は、更新された最新の電話情報を受信する（ステップＤ１５）。更に、情報通信部２２４は、受信した電話情報を、暗号・復号化処理部２２２に送り、復号化を実行させる。
【００８２】
次に、情報処理部２２３は、復号化された電話情報を用いて、記憶部２１０に記憶されている電話情報を更新する（ステップＤ１６）。その後、情報処理部２２３は、情報通信部２２４を介して、携帯端末１００に、更新完了の通知を送信する（ステップＤ１７）。以上、ステップＤ１１〜Ｄ１８の実行により、管理サーバ２００における電話情報の送信・削除処理は、終了する。
【００８３】
以上、説明したように、本実施の形態では、電話情報は使用される時点でのみ携帯端末１００に存在し、使用後は、電話情報は携帯端末１００から削除される。よって、携帯端末１００に単にロック機能が付与されただけの場合に比べて、本実施の形態によれば、携帯端末における電話情報の保護を非常に高いレベルで実行することができる。
【００８４】
（実施の形態の他の例）
また、本実施の形態は、図１〜図８に示した例に限定されず、下記の図９に示す例とすることもできる。図９は、本発明の実施の形態における情報管理システムの他の例の構成を示すブロック図である。
【００８５】
図９の例では、情報管理システム１０は、携帯端末１００及び管理サーバ２００に加え、中継装置４００を備えている。中継装置４００は、携帯端末１００において通話ができない場合に、携帯端末１００における着信を検知する、着信検知部４０１を備えている。また、着信検知部４０１は、検知した着信に関する情報（着信元の電話番号、着信時刻等）を管理サーバ２００に送信する。
【００８６】
管理サーバ２００では、情報通信部２２４が、中継装置４００から送信された情報を受信し、これを情報処理部２２３に送る。情報処理部２２３は、中継装置４００から送信された情報を用いて、記憶部２１０に記憶されている電話情報、具体的には着信履歴２１３を更新する。
【００８７】
また、中継装置４００としては、携帯電話の電話網を構成している交換機を利用することができる。具体的には、交換機に、そのコンピュータを着信検知部４０１として機能させるプログラムを組み込むことにより、中継装置４００を実現することができる。
【００８８】
このように、図９に示した情報管理システム１０を用いれば、携帯端末１００において着信が不可能な場合、例えば、電波不通（圏外）、通話中、電源オフの場合であっても、管理サーバ２００の記憶部２１０には着信履歴が残ることとなる。利用者は、携帯端末１００によって管理サーバ２００から電話情報を取得することにより（図４及び図５参照）、着信が不可能な状態にあったときの着信履歴を確認することができる。
【００８９】
また、従来の携帯電話では、通話ができない場合の着信は、携帯電話における着信履歴の一覧とは別の手段によって、利用者に通知されており、利用者は全ての着信履歴を一覧することができず、利用者にとって不便であった。これに対して、図９の例では、着信履歴は全て一つにまとめられて、管理サーバ２００で管理されるので、利用者は全ての着信履歴を一覧することができ、利用者にとって便利である。
【００９０】
ここで、本実施の形態におけるプログラムについて説明する。本実施の形態におけるプログラムには、携帯端末１００を実現する第１のプログラムと、管理サーバ２００を実現する第２のプログラムとがある。
【００９１】
まず、第１のプログラムは、コンピュータに、図２に示すステップＡ１〜Ａ４、図４に示すステップＢ１〜Ｂ７、図６に示すステップＣ１〜Ｃ６、図７に示すステップＤ１〜Ｄ９を実行させるプログラムであれば良い。第１のプログラムを携帯端末１００に搭載されたコンピュータにインストールし、実行することによって、本実施の形態における携帯装置１００を実現することができる。
【００９２】
この場合、携帯端末１００に搭載されたコンピュータのＣＰＵ（Central Processing Unit）は、認証要求部１２１、暗号・復号化部１２２、発着信情報取得部１２３、イベント検知部１２４、情報取得部１２５、情報更新部１２６、情報削除部１２７、端末監視部１２８、及び情報通信部１２９として機能し、処理を行なう。また、携帯端末１００に搭載されたメモリが、記憶部１１０として機能する。
【００９３】
また、第２のプログラムは、コンピュータに、図３に示すステップＡ１１〜Ａ１３、図５に示すステップＢ１１〜Ｂ１８、図８に示すステップＤ１１〜Ｄ１８を実行させるプログラムであれば良い。第２のプログラムを、サーバコンピュータにインストールし、実行することによって、本実施の形態における管理サーバ２００を実現することができる。
【００９４】
この場合、サーバコンピュータのＣＰＵは、認証部２２１、暗号・復号化部２２２、情報処理部２２３、及び情報通信部２２４として機能し、処理を行なう。また、サーバコンピュータに備えられた、メモリ、ハードディスク等の記憶装置が、記憶部２１０として機能する。
【００９５】
上述した実施の形態の一部又は全部は、以下に記載する（付記１）〜（付記１８）によって表現することができるが、以下の記載に限定されるものではない。
【００９６】
（付記１）
電話機能を有する携帯端末と管理サーバとを備えた情報管理システムであって、
前記管理サーバは、
前記携帯端末で利用される電話帳、前記携帯端末の着信履歴、及び前記携帯端末の発信履歴を電話情報として記憶する記憶部を備え、
前記携帯端末は、
前記電話機能の利用時に、前記管理サーバから、前記電話情報を取得する、情報取得部と、
前記情報取得部によって取得された前記電話情報を記憶する、記憶部と、
着信、発信、及び前記電話帳の変更、のいずれかが行われたときに、前記携帯端末の前記記憶部に記憶されている前記電話情報を更新する、情報更新部と、
前記電話機能の利用が終了した場合に、更新された前記電話情報を前記管理サーバに送信する、情報通信部と、
更新された前記電話情報が、前記情報通信部によって、前記管理サーバに送信されると、前記携帯端末の前記記憶部に記憶されている前記電話情報を削除する、情報削除部と、
を備えている、ことを特徴とする情報管理システム。
【００９７】
（付記２）
前記携帯端末が、前記管理サーバに認証を求める認証要求部を更に備え、
前記管理サーバが、前記携帯端末の前記認証要求部によって認証が求められた場合に、前記携帯端末に対する認証を行う認証部を、更に備え、
前記携帯端末において、前記認証要求部は、前記情報取得部による前記電話情報の取得の前に、前記管理サーバに認証を求め、
前記管理サーバにおいて、前記認証部は、前記携帯端末に対する認証が正常に行われたことを条件に、前記携帯端末の前記情報取得部による前記電話情報の取得を許可する、
付記１に記載の情報管理システム。
【００９８】
（付記３）
前記情報削除部は、更新された前記電話情報が、前記情報通信部によって、前記管理サーバに送信され、前記管理サーバが、それが記憶している前記電話情報を更新すると、前記携帯端末の前記記憶部に記憶されている前記電話情報を削除する、付記１または２に記載の情報管理システム。
【００９９】
（付記４）
前記携帯端末において、前記情報通信部は、前記携帯端末における通話が終了した場合、または、最後に、着信、発信、及び前記電話帳の変更のいずれかが行われてから設定時間が経過した場合に、前記電話機能の利用が終了したと判断する、付記１〜３のいずれかに記載の情報管理システム。
【０１００】
（付記５）
当該情報管理システムが、更に、中継装置を備え、
前記中継装置は、前記携帯端末において通話ができない場合に、前記携帯端末における着信を検知し、そして、検知した前記着信に関する情報を前記管理サーバに送信し、
前記管理サーバは、前記中継装置から送信された前記情報を用いて、前記管理サーバの前記記憶部に記憶されている前記電話情報を更新する、付記１〜４のいずれかに記載の情報管理システム。
【０１０１】
（付記６）
電話機能を有する携帯端末であって、
当該携帯端末で利用される電話帳、当該携帯端末の着信履歴、及び当該携帯端末の発信履歴を電話情報として記憶している外部の管理サーバから、前記電話機能の利用時に、前記電話情報を取得する、情報取得部と、
前記情報取得部によって取得された前記電話情報を記憶する、記憶部と、
着信、発信、及び前記電話帳の変更、のいずれかが行われたときに、前記記憶部に記憶されている前記電話情報を更新する、情報更新部と、
前記電話機能の利用が終了した場合に、更新された前記電話情報を前記管理サーバに送信する、情報通信部と、
更新された前記電話情報が、前記情報通信部によって、前記管理サーバに送信されると、前記記憶部に記憶されている前記電話情報を削除する、情報削除部と、
を備えていることを特徴とする携帯端末。
【０１０２】
（付記７）
前記管理サーバに認証を求める認証要求部を更に備え、
前記認証要求部は、前記情報取得部による前記電話情報の取得の前に、前記管理サーバに認証を求め、
前記情報取得部は、前記管理サーバによる認証が正常に行われたことを条件に、前記電話情報を取得する、付記６に記載の携帯端末。
【０１０３】
（付記８）
前記情報削除部は、更新された前記電話情報が、前記情報通信部によって、前記管理サーバに送信され、前記管理サーバが、それが記憶している前記電話情報を更新すると、前記記憶部に記憶されている前記電話情報を削除する、付記６または７に記載の携帯端末。
【０１０４】
（付記９）
前記情報通信部は、前記携帯端末における通話が終了した場合、または、最後に、着信、発信、及び前記電話帳の変更のいずれかが行われてから設定時間が経過した場合に、前記電話機能の利用が終了したと判断する、付記６〜８のいずれかに記載の携帯端末。
【０１０５】
（付記１０）
電話機能を有する携帯端末と管理サーバとを用いた情報管理方法であって、
（ａ）前記管理サーバによって、前記携帯端末で利用される電話帳、前記携帯端末の着信履歴、及び前記携帯端末の発信履歴を電話情報として記憶する、ステップと、
（ｂ）前記携帯端末によって、前記電話機能の利用時に、前記管理サーバから、前記電話情報を取得する、ステップと、
（ｃ）前記（ｂ）のステップで取得された前記電話情報を前記携帯端末の記憶装置に記憶する、ステップと、
（ｄ）前記携帯端末において、着信、発信、及び前記電話帳の変更、のいずれかが行われたときに、前記記憶装置に記憶されている前記電話情報を更新する、ステップと、
（ｅ）前記電話機能の利用が終了した場合に、前記携帯端末によって、更新された前記電話情報を前記管理サーバに送信する、ステップと、
（ｆ）前記（ｅ）のステップが実行されると、前記記憶装置に記憶されている前記電話情報を削除する、ステップと、
を有することを特徴とする情報管理方法。
【０１０６】
（付記１１）
（ｇ）前記携帯端末によって、前記（ｂ）のステップの実行の前に、前記管理サーバに認証を求める、ステップと、
（ｈ）前記（ｇ）のステップによって認証が求められた場合に、前記管理サーバによって、前記携帯端末に対する認証を行う、ステップと、
更に有し、
前記（ｂ）のステップは、前記（ｈ）のステップによる認証が正常に行われたことを条件に、実行される、付記１０に記載の情報管理方法。
【０１０７】
（付記１２）
前記（ｅ）のステップにおいて、更新された前記電話情報が前記管理サーバに送信され、前記管理サーバが、それが記憶している前記電話情報を更新すると、前記（ｆ）のステップが実行される、付記１０または１１に記載の情報管理方法。
【０１０８】
（付記１３）
前記（ｅ）のステップにおいて、前記携帯端末における通話が終了した場合、または、最後に、着信、発信、及び前記電話帳の変更のいずれかが行われてから設定時間が経過した場合に、前記電話機能の利用が終了したと判断する、付記１０〜１２のいずれかに記載の情報管理方法。
【０１０９】
（付記１４）
当該情報管理方法において、更に中継装置が用いられ、
（ｉ）前記携帯端末において通話ができない場合に、前記中継装置によって、前記携帯端末における着信を検知し、そして、検知した前記着信に関する情報を前記管理サーバに送信する、ステップと、
（ｊ）前記管理サーバによって、前記中継装置から送信された前記情報を用いて、前記管理サーバが記憶している前記電話情報を更新する、ステップと、
を更に有する、付記１０〜１３のいずれかに記載の情報管理方法。
【０１１０】
（付記１５）
電話機能を有する携帯端末の情報管理を、前記携帯端末に搭載されたコンピュータによって行うためのプログラムであって、
前記コンピュータに、
（Ａ）当該携帯端末で利用される電話帳、当該携帯端末の着信履歴、及び当該携帯端末の発信履歴を電話情報として記憶している外部の管理サーバから、前記電話機能の利用時に、前記電話情報を取得する、ステップと、
（Ｂ）前記（Ａ）のステップで取得された前記電話情報を、前記携帯端末の記憶装置に記憶する、ステップと、
（Ｃ）前記携帯端末において、着信、発信、及び前記電話帳の変更、のいずれかが行われたときに、前記記憶装置に記憶されている前記電話情報を更新する、ステップと、
（Ｄ）前記電話機能の利用が終了した場合に、前記（Ｃ）のステップで更新された前記電話情報を前記管理サーバに送信する、ステップと、
（Ｅ）前記（Ｄ）のステップが実行されると、前記記憶装置に記憶されている前記電話情報を削除する、ステップと、
を実行させる、プログラム。
【０１１１】
（付記１６）
（Ｆ）前記（Ａ）のステップの実行の前に、前記管理サーバに認証を求めるステップを、前記コンピュータに、更に実行させ、
前記（Ａ）のステップは、前記管理サーバによる認証が正常に行われたことを条件に、実行される、付記１５に記載のプログラム。
【０１１２】
（付記１７）
前記（Ｄ）のステップにおいて、更新された前記電話情報が、前記管理サーバに送信され、前記管理サーバが、それが記憶している前記電話情報を更新すると、前記コンピュータに、前記（Ｅ）のステップを実行させる、付記１５または１６に記載のプログラム。
【０１１３】
（付記１８）
前記（Ｄ）のステップにおいて、前記携帯端末における通話が終了した場合、または、最後に、着信、発信、及び前記電話帳の変更のいずれかが行われてから設定時間が経過した場合に、前記電話機能の利用が終了したと判断する、付記１５〜１７のいずれかに記載のプログラム。
【産業上の利用可能性】
【０１１４】
本発明によれば、電話帳、着信履歴、及び発信履歴といった電話情報の喪失及び漏洩を抑制することができる。本発明は、携帯電話、スマートフォンといった携帯端末、これらを利用するシステムに有用である。
【符号の説明】
【０１１５】
１０  情報管理システム
１００  携帯端末
１１０  記憶部
１２１  認証要求部
１２２  暗号・復号化部
１２３  発着信情報取得部
１２４  イベント検知部
１２５  情報取得部
１２６  情報更新部
１２７  情報削除部
１２８  端末監視部
１２９  情報通信部
２００  管理サーバ
２１０  記憶部
２２１  認証部
２２２  暗号・復号化部
２２３  情報処理部
２２４  情報通信部
３００  ネットワーク
４００  中継装置
４０１  着信検知部
【図１】
0005388226.tif 000002
【図２】
0005388226.tif 000003
【図３】
0005388226.tif 000004
【図４】
0005388226.tif 000005
【図５】
0005388226.tif 000006
【図６】
0005388226.tif 000007
【図７】
0005388226.tif 000008
【図８】
0005388226.tif 000009
【図９】
0005388226.tif 000010